(57)【要約】【課題】ワイヤハーネスの線間止水の作業性および止水性能を高める。【解決手段】止水剤５０を封入した止水剤密封袋１２を備え、かつ先端から該止水剤密封袋１２の縁際までの切り込み１４を有する止水剤密封部１１を一側部に備えると共に、該止水剤密封部１２に連続する他側部の内面に接着剤１６が塗布されたハーネス巻付部１５を備えた可撓性を有する止水用容器１０を用い、止水用容器１０の止水剤密封部１１の先端をワイヤハーネスの電線群Ｗの内部に差し込み、一部をワイヤハーネスＷの外周部より露出させ、この露出部分の止水剤密封部１１とハーネス巻付部１５をワイヤハーネスの外周面に巻き付けて接着し、ついで、露出している止水剤密封部１１を強く押圧して電線群Ｗの内部の前記切り込み１４を破って止水剤５０を電線群の線間に充填させる。【選択図】図２
2007179840.tif 000002
【特許請求の範囲】
【請求項１】
先端に切り込みを有する止水剤密封部を一側部に備えると共に、該止水剤密封部に連続する他側部の内面に接着剤が塗布されたハーネス巻付部を備えた可撓性を有する止水用容器を用い、
前記止水用容器の止水剤密封部の先端をワイヤハーネスの電線群の内部に差し込み、一部をワイヤハーネスの外周部より露出させ、この露出部分の止水剤密封部と前記ハーネス巻付部をワイヤハーネスの外周面に巻き付けて接着し、
ついで、前記露出している止水剤密封部を強く押圧して電線群内部の前記切り込みを破って止水剤を電線群の間に充填して線間止水を施すことを特徴とするワイヤハーネスの止水方法。
【請求項２】
表面に接着剤が塗布されたハーネス巻付シートの中央部に、止水剤密封袋の底部を固着して起立させていると共に、該止水剤密封袋の上端から開封用の引っ張り片を軸線方向に突出させ、該引っ張り片の先端に引っ張り摘みを形成した止水用容器を用い、
前記止水剤密封袋をワイヤハーネスの電線群の内部に差し込み、この状態で前記ハーネス巻付シートをワイヤハーネスの外周面に巻き付けて接着し、ついで、
前記ワイヤハーネスの外周部に露出している前記開封用の引っ張り摘みを把持して前記引っ張り片を引っ張って開封し、止水剤密封袋内の止水剤を電線群の間に充填して線間止水を施していることを特徴とするワイヤハーネスの止水方法。
【請求項３】
前記ハーネス巻付シートのハーネス軸線方向の一側端縁の中央部より連結片を延在し、該連結片の裏面側に、径方向にスリットを設けた円環形状の空気袋の前記スリットの対向位置の内周面を固着し、かつ、
前記止水剤密封袋の前記引っ張り摘みを前記空気袋の外側へ突出させ、
前記止水剤密封袋をハーネス電線群の内部に差し込むときに、同時に前記空気袋を前記スリットからハーネス外周に外嵌させ、その状態で前記線間止水を施している請求項２に記載のワイヤハーネスの止水方法。
【請求項４】
請求項１乃至請求項３のいずれか１項に記載のワイヤハーネスがグロメットの内部に挿通され、前記線間止水が施された領域が前記グロメット内部に位置決め固定されているワイヤハーネスのグロメット取付構造。
【請求項５】
請求項３に記載の前記空気袋が前記グロメットの内周面に圧接密着している請求項４に記載のワイヤハーネスのグロメット取付構造。
【発明の詳細な説明】
【技術分野】
【０００１】
本発明は、ワイヤハーネスの止水方法および該方法により止水処理されたワイヤハーネスのグロメット取付構造に関し、特に、自動車のパネル貫通穴へ装着されるグロメットに挿通させるワイヤハーネスの電線群に対して止水剤を作業性良く充填できるようにするものである。
【背景技術】
【０００２】
従来、自動車用ワイヤハーネスにおいて、自動車のエンジンルームと車室とを仕切るパネルを通してワイヤハーネスを室内へ引き込む場合、パネルに穿設した穴にゴムあるいはエストラマー製のグロメットを装着し、該グロメット内部を通してワイヤハーネスを配線し、室内側への浸水を防止している。この種のグロメットは、略円錐筒形状とした拡径部の外周面にパネル係止部を設け、該パネル係止部をパネル貫通穴の内周縁に係止し、グロメットとパネル貫通穴との間は確実にシールして防水を図る一方、拡径部の縮小端側に延在させた小径管部にワイヤハーネスを密着させて通している。
【０００３】
前記グロメットに挿通するワイヤハーネスの各電線の間および各電線とグロメットの管部との間には僅かながら隙間が生じ、該隙間を通じてエンジンルーム側より室内側へ浸水が生じるため、これら隙間もシールする必要がある。
【０００４】
この止水方法として、従来、図１１に示すように、ワイヤハーネスＷ／Ｈの所定位置にグロメット１を取り付けた後、専用の設備や治具を用いてグロメット１内へ止水剤２を注入し、注入後に止水剤２を乾燥硬化させる手法が用いられる場合が多い。
しかしながら、前記方法では、ワイヤハーネスの組み立てラインから別位置（オフライン）にワイヤハーネスを移動させてグロメットに止水剤を充填する必要があり、生産効率が低下する問題がある。また、止水剤を上方から注入すると、電線間の隙間に止水剤を充填されない部分も発生しやすく、止水性能が不十分となりやすい。
【０００５】
この問題に関し、特開平７−３９０４６号（特許文献１）では、ワイヤハーネスの組立ライン上において、ワイヤハーネスの電線群に止水剤を充填し、充填後にグロメットに挿通させる線間止水方法が提供されている。該線間止水方法は、図１２に示すように、連立発泡スポンジ体よりなる止水部材６をワイヤハーネスＷ／Ｈの外周に１周以上巻き付け、該止水部材６に液状の止水剤７を注入含浸させ、ついで、該止水部材６を取り付けたワイヤハーネスをグロメット５に通し、グロメット５の弾性力によって止水部材６を圧縮変形させることにより、含浸している止水剤７を押し出し電線間の隙間に止水剤７を充填している。
【０００６】
しかしながら、前記方法では、止水剤を充填するために専用の設備や治具が必要となると共に、工数も多く、作業性が悪い点に問題がある。また、止水剤を扱うため、作業中に作業員の手や他の部品に止水剤が付着する恐れがあり、作業時に注意を払う必要があるため作業効率が悪い問題がある。
【０００７】
【特許文献１】特開平７−３９０４６号公報
【発明の開示】
【発明が解決しようとする課題】
【０００８】
本発明は前記問題に鑑みてなされたもので、グロメットにワイヤハーネスを挿通する前に、ワイヤハーネスの電線群に止水剤を充填する線間止水の方法を採用しながら、作業員に止水剤が付着しないようにすると共に、止水剤を電線間に充填する前に充填される止水剤がワイヤハーネスの外周より漏れないようにすることができるワイヤハーネスの防水方法および該方法により止水処理されたワイヤハーネスのグロメット取付構造の提供を課題としている。
【課題を解決するための手段】
【０００９】
前記課題を解決するために、第一の発明として、先端に切り込みを有する止水剤密封部を一側部に備えると共に、該止水剤密封部に連続する他側部の内面に接着剤が塗布されたハーネス巻付部を備えた可撓性を有する止水用容器を用い、
前記止水用容器の止水剤密封部の先端をワイヤハーネスの電線群の内部に差し込み、一部をワイヤハーネスの外周部より露出させ、この露出部分の止水剤密封部と前記ハーネス巻付部をワイヤハーネスの外周面に巻き付けて接着し、
ついで、前記露出している止水剤密封袋を強く押圧して電線群内部の前記切り込みを破って止水剤を電線群の間に充填して線間止水を施すことを特徴とするワイヤハーネスの止水方法を提供している。
【００１０】
前記止水方法によれば、止水剤を予め前記止水用容器に封入し、部品として棚等に保管しておくことができるため、線間止水作業は、通常のワイヤハーネス組立ライン上において、前記止水用容器をワイヤハーネスに巻き付け、押圧することで完了する。従って、専用設備への移動や専用道具への持ち替え等が不要となるため、作業性が大幅に向上する。
また、止水剤充填時も止水剤を電線群の内側から染み出させるうえ、該電線群の外周は止水剤密封部とハーネス巻付部で覆われているため、止水剤密封部から押し出された止水剤が外部へ飛び散ることがなく、作業者の手や他の部品への止水剤付着を防止できる。
さらに、止水剤は電線群の外部からではなく内部から充填されるうえ、ハーネスに巻きつけたハーネス巻付部の上から押圧してよく揉むことにより、止水剤密封部内に止水剤が残存することを防ぐと共に、止水剤を全線間に満遍なく一様に行き渡らせることができるため、効果的に、かつ確実に線間止水できる。
【００１１】
さらに、第二の発明として、表面に接着剤が塗布されたハーネス巻付シートの中央部に、止水剤密封袋の底部を固着して起立させていると共に、該止水剤密封袋の上端から開封用の引っ張り片を軸線方向に突出させ、該引っ張り片の先端に引っ張り摘みを形成した止水用容器を用い、
前記止水剤密封袋をワイヤハーネスの電線群の内部に差し込み、この状態で前記ハーネス巻付シートをワイヤハーネスの外周面に巻き付けて接着し、ついで、
前記ワイヤハーネスの外周部に露出している前記開封用の引っ張り摘みを把持して前記引っ張り片を引っ張って開封し、止水剤密封袋内の止水剤を電線群の間に充填して線間止水を施していることを特徴とするワイヤハーネスの止水方法も提供している。
【００１２】
前記第二の発明においても、第一の発明と同様に、線間止水の作業性が大幅に向上すると共に、作業者や他の部品への止水剤付着も防止できる。また、止水剤を満遍なく行き渡らせ、効果的かつ確実に線間止水を施すことができる。
さらに、第二の発明においては、引っ張り摘みを引っ張って止水剤密封袋を開封するため、後工程において該引っ張り摘みの長さを確認することで、止水剤密封袋が実際に開封したか否かを容易に確認でき、不良品の流出を防止できる。
また、上記引っ張り摘まみ引っ張って、引き千切ったり、切断除去すると、引っ張り摘まみの有無により開封を確認することができる。
【００１３】
前記第二の発明におけるハーネス巻付シートのハーネス軸線方向の一側端縁の中央部より連結片を延在し、該連結片の裏面側に、径方向にスリットを設けた円環形状の空気袋の前記スリットの対向位置の内周面を固着し、かつ、
前記止水剤密封袋の前記引っ張り摘みを前記空気袋の外側へ突出させ、
前記止水剤密封袋をハーネス電線群の内部に差し込むときに、同時に前記空気袋を前記スリットからハーネス外周に外嵌させ、その状態で前記線間止水を施してもよい。
【００１４】
前記空気袋は空気層として機能するため、前記ワイヤハーネスの配索時に該空気袋を音漏れ箇所に配置することにより、防音効果も得ることができる。
【００１５】
さらに、第三の発明として、前記第一および第二の発明の止水方法によって止水剤が電線間に充填され、ハーネス巻付部で外周面が巻き付けられて止水剤の漏れを防止した状態としたワイヤハーネスを、グロメットの内部に挿通し、前記線間止水が施された領域をグロメット内部に位置決め固定されているワイヤハーネスのグロメット取付構造も提供している。
該構成のグロメットでは、グロメット内を通るワイヤハーネスの電線間の隙間に止水剤が確実に充填されているため、止水性能を高めることができる。
【００１６】
特に、第二の発明方法で線間止水が施されたワイヤハーネスでは、空気袋が前記グロメットの内周面に圧接密着しているため、グロメットが装着される車体パネル等の貫通穴から室内側へ漏れ入る騒音や異音を遮音できる。
【発明の効果】
【００１７】
上述したように、本発明によれば、止水剤を予め封入した止水用容器を用い、該止水用容器をワイヤハーネスに巻き付けて押圧することで線間止水が完了するため、線間止水作業を通常のハーネス組み立て工程において行うことができ、従来必要であった専用設備や専用道具が不要となるため、作業性が大幅に向上する。
また、止水剤は電線束の内部から染み出すうえ、止水剤密封袋(止水剤密封部)を外部から押圧して揉みこむことにより、該止水剤が効果的に満遍なく行き渡り、線間止水性能を高めることができる。
さらに、止水剤は電線束の内部からのみ押し出され、該電線束の外周は止水剤密封袋（止水剤密封部）およびハーネス巻付シート（ハーネス巻付部）により覆われるため、止水剤は外部に飛び散らず、作業者や他の部品に止水剤が付着することを防止できる。
【００１８】
さらにまた、止水用容器に空気袋を固着することにより、特にグロメット装着箇所で生じやすい浸水と音漏れの両問題を同時に解消できる。
【発明を実施するための最良の形態】
【００１９】
以下、本発明の実施形態を図面を参照して説明する。
図１乃至図３は、本発明の第１実施形態に係るワイヤハーネスの止水方法を示し、先端に切り込み１４を有する止水剤密封部１１を備えた止水用容器１０を用いる。
【００２０】
前記止水用容器１０は、図１（Ａ）（Ｂ）に示すように、可撓性を有するビニール製の帯状体よりなり、その長さ方向の一側部に止水剤密封部１１を、他側部にハーネス巻付部１５を連続一体に備えている。
前記止水剤密封部１１は、止水剤５０を封入した止水剤密封袋１２を中央部に備えると共に、該止水剤密封袋１２の周囲に形成されるシール部１３の先端側より、止水剤密封袋１２の縁際までの切り込み１４を形成している。
前記ハーネス巻付部１５は、巻付面となる内面側に接着剤１６を塗布して接着面１７を形成している。
【００２１】
前記構成よりなる止水用容器１０を用いて止水する方法を説明する。まず、図２に示すように、止水用容器１０の止水剤密封部１１を、切り込み１４を形成した先端側から電線群Ｗの内部へ差し込む。このとき、止水剤密封袋１２の先端側一部までを電線群Ｗ内に差し込み、図３（Ａ）にも示すように、前記切り込み１４を電線群Ｗの断面中央部に到達させ、止水剤密封部１２の残部を含む止水剤密封部１１の一部は電線群Ｗの外周部より露出させる。
【００２２】
次に、図３（Ａ）に示すように、前記露出部分である止水剤密封部１１とハーネス巻付部１５とを、前記接着面１７を内側にして電線群Ｗの外周に巻きつけて接着していく。
ついで、前記止水剤密封部１１のうち電線群Ｗの外周に巻きつけられた部分の止水剤密封袋１２を、図３（Ｂ）の矢印に示すように、外側から強く押圧する。これにより、止水剤密封袋１２内の圧力が高まり、シール部１３のうち肉薄の前記切り込み１４から破裂し、止水剤密封袋１２内の止水剤５０が流出して電線群Ｗの線間に充填していく。この間、止水剤密封袋１２を電線群Ｗの外部から揉み込むことにより、止水剤５０を止水剤密封袋１２内に残存させず、電線群Ｗに満遍なく行き渡らせる。
【００２３】
このように、予め止水剤５０を封入した止水用容器１０を用いて線間止水することにより、止水剤５０を、前記止水用容器１０を介して一つの部品として扱うことができるうえ、専用の設備も道具も必要なく、簡単な作業で止水剤５０を充填して線間止水できるため、ワイヤハーネス組み立て工程において作業でき、大幅に作業性が向上する。
【００２４】
また、止水剤５０は、電線群Ｗへの充填前は止水用容器１０内に密封されており、充填中も電線群Ｗの内部から染み出し、かつ、電線群Ｗの外周はハーネス巻付部１５で覆われているため、止水剤５０の電線群Ｗ外への流出を防止できる。従って、ハーネス組立工程に従事する作業者がむき出しの止水剤を扱わずに済むため、作業者の手や他の部品への止水剤５０の付着を防止でき、この点からも作業性が向上する。
さらに、止水剤５０を電線群Ｗの外周側からではなく、内部から染み出させて充填させるため、効果的に電線間に行き渡らせることができ、線間止水の性能を高めることができる。
【００２５】
図４は本発明の第二実施形態を示し、前記第一実施形態の止水方法により止水処理された電線群Ｗのグロメット取付構造を示している。
前記電線群Ｗにはグロメット６０を装着し、該グロメット６０を車体パネルＰの貫通穴Ｈに係止固定して、該貫通穴Ｈに電線群Ｗを挿通している。
【００２６】
前記グロメット６０は、電線挿通方向両端に前記電線群Ｗを密着させて挿通させる室内側小径筒部６１と室外側小径筒部６２を備え、これら小径筒部６１、６２の間に、拡径筒部６３と、該拡径筒部６３の一端に連続させた大径筒部６４を介在させている。
大径筒部６４の外周には、前記貫通穴Ｈに内嵌させる車体係止溝６５を形成している。また、室内側小径筒部６１の開口端から拡径筒部６３にかけて、左右一対のスリット６６を軸線方向に設けている。
【００２７】
前記電線群Ｗにグロメット６０を装着するときは、装着前に前述の止水方法により線間止水処理を施しておき、その線間止水領域１８（図中ハッチング箇所）を、グロメット６０の前記大径筒部６４内に位置させた状態で、電線群Ｗと該グロメット６０の両端部とをテープＴで巻き付け固定し、前記線間止水領域１８をグロメット６０内に位置決め固定する。
【００２８】
図５乃至図７は、本発明の第三実施形態に係るワイヤハーネスの止水方法を示し、止水剤５０を封入した止水剤密封袋２２を引っ張り摘み２４を引っ張って開封する構造の止水用容器２０を用いている。
【００２９】
詳しくは、前記止水用容器２０は、透明な可撓性材からなり、図５（Ａ）〜（Ｃ）に示すように、電線群Ｗの外周に巻きつけ固着されるハーネス巻付シート２１の中央部に、前記止水剤密封袋２２の底部２２ａを固着して起立させている。
前記ハーネス巻付シート２１の巻付面となる表面２１ａには、前記止水剤密封袋２２の四方周囲に接着剤２５を塗布して接着面２６を形成している。
【００３０】
前記止水剤密封袋２２の外形は、底部２２ａを細長い長方形状とし断面を三角形状とする楔形状よりなり、該底部２２ａの長手方向と、楔形状の先端に相当する上端縁２２ｂが電線群Ｗの軸線方向と平行となるように、前記ハーネス巻付シート２１の表面２１ａに固着している。該止水剤密封袋２２の上端縁２２ｂの一端側には開封用の引っ張り片２３を取り付け、該引っ張り片２３を上方に突出させた後、前記上端縁２２ｂの長手方向に延在させ、さらに、ハーネス巻付シート２１よりも外方へ突出させ、その先端に楔形状の前記引っ張り摘み２４を形成している。該引っ張り摘み２４も、楔形状の先端に相当する上端縁２４ａが電線群Ｗの軸線方向と平行となるように形成している。
【００３１】
前記構成よりなる止水用容器２０を用いて止水する方法を説明する。まず、図６（Ａ）に示すように、止水剤密封袋２１および引っ張り片２３の長手方向と電線群Ｗの軸線方向とが平行となるように配置し、引っ張り片２３と止水剤密封袋２２を電線群Ｗの内部に差し込む。このとき、図６（Ｂ）（Ｃ）および図７（Ａ）に示すように、止水剤密封袋２２の全体を電線群Ｗ内に差し込み、引っ張り片２３を電線群Ｗの断面中央部に到達させると共に、引っ張り摘み２４は、電線群Ｗの反対側外周部へ突き抜けさせる。
【００３２】
次に、前記ハーネス巻付シート２１を、前記接着面２６を内側にして電線群Ｗの外周に巻き付け固着する。次いで、図６（Ｄ）に示すように、外部に露出している引っ張り摘み２４を把持して引っ張り片２３を引っ張ることにより、電線群Ｗ内の止水剤密封袋２２の上端をカットし、図７（Ｂ）に示すように、止水剤５０を電線群Ｗ内に流出させて線間に充填させる。このとき、図７（Ｂ）の矢印に示すように、ハーネス巻付シート２１の上から電線群Ｗを揉みこむことにより、止水剤密封袋２２を押圧し、止水剤５０を止水剤密封袋２２内に残存させずに全部流出させる。
【００３３】
本実施形態においても、前記第一実施形態と同様に、止水作業専用の設備や道具が不要となると共に、作業者がむき出しの止水剤を扱うことがないため、作業性が向上する。また、前記第一実施形態と同様に、止水剤が電線群Ｗの内部から染み出すため、止水剤が効果的に満遍なく行き渡り、止水性能を高めることができる。
さらに、本実施形態においては、前記引っ張り片２３が根元から引き千切られたか否かを後工程で確認することにより、止水剤密封袋２２が実際にカットされたか否か、即ち、止水剤５０が電線群Ｗ内に充填されたか否かを容易に判別できるため、止水剤充填不良の発生を確実に防止できる。
【００３４】
図８乃至図１０は本発明の第四実施形態を示し、空気袋４０と一体化した止水用容器３０を用いてワイヤハーネスを線間止水し、該止水処理されたワイヤハーネスにグロメット６０を取り付けている。
なお、グロメット６０の構成は、前記第二実施形態と同一としている。
【００３５】
詳しくは、前記止水用容器３０は、可撓性を有するビニール製よりなり、図８（Ａ）〜（Ｃ）に示すように、ハーネス電線群Ｗの外周に巻きつけ固着されるハーネス巻付シート３１に、止水剤５０が封入された止水剤密封袋３６の底部３６ａを固着して起立させていると共に、空気袋４０を一体に固着してなる。
【００３６】
前記ハーネス巻付シート３１は、四角形状の巻付本体部３２のハーネス軸線方向の一側端縁中央部より連結片３３をハーネス軸線方向に延在してなる。
また、ハーネス巻付シート３１の巻付面となる表面３１ａには、前記止水剤密封袋３６の三方周囲に接着剤３４を塗布してコ字状の接着面３５を形成している。
【００３７】
前記止水剤密封袋３６の外形は、底部３６ａを細長い長方形状とし断面を三角形状とする楔形状よりなり、該底部３６ａの長手方向と、楔形状の先端に相当する上端縁３６ｂとが電線群Ｗの軸線方向と平行となるように、前記ハーネス巻付シート３１の表面３１ａの中央部から前記連結片３３にかけて底部３６ａを固着して、止水剤密封袋３６を起立させている。
【００３８】
前記止水剤密封袋３６の上端縁３６ｂの一端側には開封用の引っ張り片３７を取り付け、該引っ張り片３７を上方に突出させた後、前記底部３６ａの長手方向に延在し、さらに、ハーネス巻付シート３１の連結片３３よりも外方へ突出させ、その先端に楔形状の前記引っ張り摘み３８を形成している。該引っ張り摘み３８も、楔形状の先端に相当する上端縁３８ａが電線群Ｗの軸線方向と平行となるように形成している。
【００３９】
前記連結片３３の裏面（外面）には、円環形状のビニール製空気袋４０を固着している。このとき、空気袋４０の径方向と前記引っ張り片３７の長手方向、すなわちハーネス軸線方向とが直交するように配置して固着する。
【００４０】
前記空気袋４０は、径方向にスリット４１を１箇所設け、該スリット４１により不連続な円環形状としている。前記連結片３３の裏面には、該空気袋４０のスリット４１の反対位置の内周面を固着し、前記止水用密封袋３６の起立方向にスリット４１を位置させている。また、前記引っ張り摘み３８は、空気袋４０よりも外側に突出させている。
【００４１】
前記構成よりなる止水用容器３０を用いて止水する方法を説明する。まず、図９（Ａ）に示すように、止水剤密封袋３６および引っ張り片３７の長手方向と電線群Ｗの軸線方向とが平行となるように配置し、引っ張り片３７と止水剤密封袋３６とを電線群Ｗの内部に差し込むと同時に、空気袋４０のスリット４１を押し広げて電線群Ｗの外周に空気袋４０を外嵌させる。このとき、図９（Ｂ）（Ｃ）に示すように、止水剤密封袋３６の全体を電線群Ｗ内に差し込み、引っ張り片３７を電線群Ｗの断面中央部に到達させると共に、引っ張り摘み３８は、電線群Ｗの反対側外周部へ突き抜けさせる。
【００４２】
次に、前記ハーネス巻付シート３１の巻付本体部３２を、前記接着面３５を内側にして電線群Ｗの外周に巻き付け固着する。
次いで、図９（Ｄ）に示すように、外部に露出している引っ張り摘み３８を把持して引っ張り片３７を引っ張ることにより、電線群Ｗ内の止水剤密封袋３６の上端をカットし、止水剤５０を電線群Ｗ内に流出させて線間止水する。
【００４３】
前記止水方法により止水処理されたハーネス電線群Ｗに前記グロメット６０を装着するときは、グロメット６０のスリット６６を広げて電線群Ｗをグロメット６０内に挿通し、図１０に示すように、前記止水用容器３０が巻付固着された線間止水領域３９を大径筒部６４内に位置させると共に、前記空気袋４０を大径筒部６４内の室内寄りに位置させ、該空気袋４０の外周面を大径筒部６４の内周面に圧接密着させる。次に、この状態で、グロメット６０の両端部と電線群ＷとをテープＴで巻き付け固定し、線間止水領域３９と空気袋４０とをグロメット６０内に位置決め固定する。
【００４４】
本実施形態によれば、図１０に示すように、グロメット６０の大径筒部６４内に、空気袋４０による第一空気室Ａと、該空気袋４０で仕切られた第二空気室Ｂとが形成される。従って、該グロメット６０が装着される車体パネルＰの貫通穴Ｈ（図示せず）を通じて室内側へ伝わる騒音や異音を、この二層の空気室Ａ、Ｂとで効果的に遮音することができ、止水性のみでなく防音性も同時に高めることができる。
【図面の簡単な説明】
【００４５】
【図１】本発明の第一実施形態に係る止水用容器を示し、（Ａ）は平面図であり、（Ｂ）はＩ−Ｉ線断面図である。
【図２】図１に示す止水用容器を電線群に装着する作業を示す斜視図である。
【図３】（Ａ）は図１に示す止水用容器を電線群に巻きつけた状態を示す断面説明図であり、（Ｂ）は止水剤充填中の状態を示す断面説明図である。
【図４】本発明の第二実施形態を示し、止水処理された電線群にグロメットを装着した状態を示す正面図である。
【図５】本発明の第三実施形態に係る止水用容器を示し、（Ａ）は平面図であり、（Ｂ）は背面図であり、（Ｃ）は側面図である。
【図６】図５に示す止水用容器を電線群に装着する手順を示し、（Ａ）は止水容器の電線群への差し込み作業を示す斜視図であり、（Ｂ）は止水用容器を電線群へ差し込んだ状態を示す斜視図であり、（Ｃ）は（Ｂ）の側面図であり、（Ｄ）は止水用容器の止水剤密封袋の開封作業を示す斜視図である。
【図７】（Ａ）は図５に示す止水用容器を電線群に巻きつけた状態を示す断面説明図であり、（Ｂ）は止水剤充填中の状態を示す断面説明図である。
【図８】本発明の第四実施形態に係る止水用容器を示し、（Ａ）は平面図であり、（Ｂ）は正面図であり、（Ｃ）は側面図である。
【図９】図８に示す止水用容器を電線群に装着する手順を示し、（Ａ）は止水容器の電線群への差し込み作業を示す斜視図であり、（Ｂ）は止水用容器を電線群へ差し込んだ状態を示す斜視図であり、（Ｃ）は（Ｂ）の側面図であり、（Ｄ）は止水用容器の止水剤密封袋の開封作業を示す斜視図である。
【図１０】図９の手順により止水処理された電線群にグロメットを装着した状態を示す断面説明図である。
【図１１】従来例の図である。
【図１２】他の従来例の図である。
【符号の説明】
【００４６】
１０、２０、３０  止水用容器
１１  止水剤密封部
１２、２２、３６  止水剤密封袋
１４  切り込み
１５  ハーネス巻付部
１６  接着剤
２１、３１  ハーネス巻付シート
２３、３７  引っ張り片
２４、３８  引っ張り摘み
４０  空気袋
５０  止水剤
６０  グロメット
Ｗ  電線群
【図１】
2007179840.tif 000003
【図２】
2007179840.tif 000004
【図３】
2007179840.tif 000005
【図４】
2007179840.tif 000006
【図５】
2007179840.tif 000007
【図６】
2007179840.tif 000008
【図７】
2007179840.tif 000009
【図８】
2007179840.tif 000010
【図９】
2007179840.tif 000011
【図１０】
2007179840.tif 000012
【図１１】
2007179840.tif 000013
【図１２】
2007179840.tif 000014